(57)【特許請求の範囲】
【請求項１】
挿入口から吸入した媒体を、前記挿入口から排出する媒体処理装置において、
前記挿入口の上面に、下面側に開放端を有し、前記媒体の吸入方向の直交方向である幅方向の両側の側面にそれぞれ接する縦スリットと、
前記挿入口の側面の一部を有し、排出方向へ搬送される取扱対象外の媒体の先端の幅方向の端部を掬上げる掬い面が形成されたサイドガイドとを設けたことを特徴とする媒体処理装置。
【請求項２】
挿入口から吸入した媒体を、前記挿入口から排出する媒体処理装置において、
前記挿入口の上面に、下面側に開放端を有し、前記媒体の吸入方向の直交方向である幅方向の両側の側面からそれぞれ離間した位置に縦スリットと、
前記挿入口の側面の一部を有し、排出方向へ搬送される取扱対象外の媒体の先端の幅方向の端部を掬上げる掬い面が形成されたサイドガイドと、
前記サイドガイドと前記縦スリットとの間に形成され、前記先端の幅方向の端部を前記縦スリットへ導く斜面からなる押圧面を有するガイド部とを設けたことを特徴とする媒体処理装置。
【請求項３】
請求項２において、
一方の側面側に形成された前記縦スリットと他方の側面との間の距離を、取扱範囲内の媒体の中で最小の媒体幅を有する媒体の媒体幅より短く設定したことを特徴とする媒体処理装置。
【請求項４】
請求項２または請求項３において、
前記縦スリットの開放端の反対側の端部に、前記幅方向に伸張する横スリットを設けたことを特徴とする媒体処理装置。
【発明の詳細な説明】
【技術分野】
【０００１】
本発明は、現金自動預払機等の自動取引装置に装着され、払込書等の紙葉状の媒体を処理する媒体処理装置に関する。
【背景技術】
【０００２】
従来の媒体処理装置は、媒体の挿入口の両側に、所定幅のスロープと、そのスロープを覆い、支持ピンにより回動可能に支持された回動ゲートとを設け、回動ゲートの先端をスロープに当接させて排出方向にのみ回動可能に構成しておき、挿入口の幅より広い媒体幅を有する取扱対象外の媒体が強制的に挿入された場合に、その取扱対象外の媒体を排出方向に搬送し、当該媒体の両端部で回動ゲートを回動させて排出し、取扱対象外の媒体によるジャムの発生を防止している（例えば、特許文献１参照。）。
【先行技術文献】
【特許文献】
【０００３】
【特許文献１】特開平１１−３２８４８０号公報（段落０００７−００１３、第３図、第４図）
【発明の概要】
【発明が解決しようとする課題】
【０００４】
しかしながら、上述した従来の技術においては、取扱対象外の媒体の両端部で回動ゲートを排出方向に回動させて取扱対象外の媒体を排出しているため、挿入口の両側に回動ゲートを回動させるための機構を必要とし、媒体処理装置の製造コストを増加させるという問題がある。
【０００５】
また、挿入口の両端に所定幅の回動ゲートを設けているため、取扱対象外の媒体の中で最大の媒体幅を有する媒体を通過させるためには、回動ゲートの所定幅を、取扱対象外の媒体の最大媒体幅を通過させる幅以上に設定する必要があり、挿入口の幅方向の長さが実質的に長くなって媒体処理装置が大型化するという問題がある。
【０００６】
本発明は、上記の問題点を解決するためになされたもので、媒体処理装置の挿入口の幅方向の長さを通常のままにして、取扱対象外の媒体の処理を可能にする手段を提供することを目的とする。
【課題を解決するための手段】
【０００７】
本発明は、上記課題を解決するために、挿入口から吸入した媒体を、前記挿入口から排出する媒体処理装置において、前記挿入口の上面に、下面側に開放端を有し、前記媒体の吸入方向の直交方向である幅方向の両側の側面にそれぞれ接する縦スリットと、前記挿入口の側面の一部を有し、排出方向へ搬送される取扱対象外の媒体の先端の幅方向の端部を掬上げる掬い面が形成されたサイドガイドとを設けたことを特徴とする。
【発明の効果】
【０００８】
これにより、本発明は、挿入口の幅方向の長さを通常のままにしたとしても、取扱対象外媒体の排出時におけるジャムを防止することができ、媒体処理部の小型化を図ることができると共にその製造コストを抑制することができるという効果が得られる。
【図面の簡単な説明】
【０００９】
【図１】実施例１の現金自動預払機の外観を示す説明図
【図２】実施例１の媒体処理部を示す説明図
【図３】実施例１の媒体処理部の挿入口の正面側から見た外観を示す説明図
【図４】実施例１の媒体処理部の挿入口の正面を示す説明図
【図５】実施例１の媒体処理部の挿入口の背面側から見た外観を示す説明図
【図６】図５のＡ部を示す拡大図
【図７】実施例１の媒体処理部の動作を示す説明図
【図８】実施例１の媒体処理部の作用を示す説明図
【図９】実施例２の媒体処理部の挿入口の正面側から見た外観を示す説明図
【図１０】実施例２の媒体処理部の挿入口の正面を示す説明図
【図１１】実施例２の媒体処理部の挿入口の背面側から見た外観を示す説明図
【図１２】図１１のＢ部を示す拡大図
【図１３】実施例２の縦スリットの近傍を示す断面図
【図１４】実施例３の媒体処理部の挿入口の正面側から見た外観を示す説明図
【図１５】実施例３の媒体処理部の挿入口の正面を示す説明図
【図１６】実施例３の媒体処理部の挿入口の背面側から見た外観を示す説明図
【図１７】図１６のＤ部を示す拡大図
【図１８】実施例３の縦スリットおよび横スリットの近傍を示す断面図
【発明を実施するための形態】
【００１０】
以下に、図面を参照して本発明による媒体処理装置の実施例について説明する。
【実施例１】
【００１１】
図１において、１は自動取引装置としての現金自動預払機であり、銀行等の金融機関の支店やコンビニエンスストア等の店舗に設置され、利用者が選択した取引の入力を受付け、これを基に図示しないホストコンピュータと交信して利用者との取引処理を自動で行う機能等を有している。
【００１２】
２は操作表示部であり、現金自動預払機１の正面に設けられ、ＬＣＤ等の表示画面とタッチパネル等の入力手段との組合せで構成されており、表示画面に取引選択画面や各種の入力画面、利用者の処置を促す画面等を表示する他、入力手段により利用者からの入力を受付ける。
【００１３】
３はカード処理部であり、挿入された利用者のキャッシュカードやクレジットカード等の取引カードの磁気ストライプやＩＣチップ等に記録されている取引カードの金融機関名や支店名、口座番号、口座科目等の口座情報等からなるカード情報を読み書きする機能を有すると共に明細票等に取引内容等を印刷する機能を有している。
【００１４】
４は通帳処理部であり、挿入された利用者の通帳の磁気ストライプやＩＣチップ等に記録されている通帳情報を読み書きする機能を有すると共に取引内容等を利用者の通帳に記帳する機能を有している。
【００１５】
５は紙幣処理部であり、入金取引時等に利用者が投入した紙幣を受入れ、これを鑑別および計数して収納庫に収納し、出金取引時等に収納庫から利用者に支払う紙幣を繰出し、これを計数して利用者に引渡す機能を有している。
【００１６】
６は硬貨処理部であり、入金取引時等に利用者が投入した硬貨を受入れ、これを鑑別および計数して収納庫に収納し、出金取引時等に収納庫から利用者に支払う硬貨を繰出し、これを計数して利用者に引渡す機能を有している。
【００１７】
１０は媒体処理装置としての媒体処理部であり、現金自動預払機１の装置本体に装着され、利用者が挿入した水道、ガス等の公共料金の払込書等の紙葉状の媒体Ｐの記載事項を読取る機能、媒体Ｐに所定事項を印刷する機能、印刷後に媒体Ｐを利用者に返却する機能等を有しており、以下に示す構成を備えている。
【００１８】
図２において、１１は搬送路であり、媒体処理部１０の、媒体Ｐの吸入方向の直交方向（幅方向という。）の両側に設けられたサイドフレーム１２に固定された図示しない上下一対の搬送ガイド、搬送路１１に沿って媒体Ｐを吸入方向およびその逆方向である排出方向に搬送するサイドフレーム１２に回転自在に支持された複数の搬送ローラ１３等で構成され、図示しないモータ等の駆動源により回転駆動される。
【００１９】
１４は認識部であり、搬送路１１の上方に配置され、媒体Ｐに記載されている文字やコード、金額等を読取るスキャナ等を備えており、媒体Ｐの記載事項を認識する文字認識手段として機能する。
【００２０】
１６は媒体挿入部であり、媒体処理部の正面側に配置され、図３、図４に示すように、媒体Ｐの挿入時および排出時に媒体Ｐを載置する下面１７、その上方に配置され、吸入方向の下流に向かって縮小する斜面で形成された上面１８、媒体Ｐの幅方向の両側に配置された２つの側面１９で形成される挿入口２０を有している。
【００２１】
また、下面１７および上面１８の正面と反対側の背面側、つまり搬送路１１側には、図５に示すように、搬送路１１との間で媒体Ｐの受渡しを行うための傾斜した案内面を有する下ガイド１７ａおよび上ガイド１８ａが、それぞれ複数形成されている。
【００２２】
本実施例の挿入口２０の幅Ｗｉは、払込書等の通常の取引で取扱われる範囲内の媒体Ｐ（取扱範囲内媒体という。）の中で最大の媒体幅を有する媒体Ｐが挿入できる幅に設定されており、挿入口２０の幅Ｗｉより広い媒体幅を有する媒体Ｐ、つまり挿入口２０の幅Ｗｉでは下面１７に載置した状態で挿入することができない媒体Ｐ（取扱対象外媒体という。）が強制的に挿入された場合は、一旦、挿入口２０から吸入した後に、挿入口２０から排出されて利用者に返却される。
【００２３】
２２は縦スリットであり、挿入口２０の幅方向の両端部の上面１８を下面１７の鉛直方向に切欠いて形成された、下面１７側、つまり吸入方向に吸入される媒体Ｐの側に開放端を有し、幅方向の両側の側面１９にそれぞれ接するスリットであって、そのスリット幅Ｗｓは、取扱範囲内媒体の中で最大の媒体厚さを有する媒体Ｐの媒体厚さより広くなるように設定され、その下面１７からのスリット高さＨｓ１（下面１７と縦スリット２２の開放端と反対側の端面である上端までの距離をいう。）は、取扱対象外媒体の中で最大の媒体幅を有する媒体Ｐの幅方向の一方の端面（媒体端という。）が、その側の側面１９に接している状態で、他方の端部が縦スリット２２内でＬ字状に曲折したときに、その曲折部の媒体端の下面１７からの高さである曲折部高さＨｋより高くなるように設定されている。
【００２４】
図５、図６において、２３はサイドガイドであり、挿入口２０の側面１９から幅方向の外側に形成された側面１９の一部を構成する板状部材であって、挿入口２０の下面１７の下ガイド１７ａの媒体Ｐの吸入方向の上流側の端部、つまり搬送路１１側の端部から排出方向に向かって上昇する傾斜面である掬い面２４が形成され、排出方向へ搬送される取扱対象外媒体の先端の幅方向の端部を掬上げて、縦スリット２２側へ導く機能を有しており（図８参照）、その掬い面２４の媒体Ｐの排出方向の上流側の端部（頂部２４ａという。図６参照）の下面１７からの高さは、スリット高さＨｓより高くなるように形成されている。
【００２５】
本実施例の挿入口２０の幅Ｗｉは、上記したように、取扱範囲内媒体の中で最大の媒体幅を有する媒体Ｐが挿入できる幅に設定されているが、利用者が紙葉状の取扱対象外媒体の端部を折曲げる等して強制的に挿入した場合、例えば、図７に示すように、挿入口２０の幅Ｗｉより広い媒体幅Ｗｇ（＞Ｗｉ）を有する取扱対象外媒体を挿入した場合は、その取扱対象外媒体は、挿入口２０の上ガイド１８ａと下ガイド１７ａとの間から搬送路１１の搬送ローラ１３へ受渡され、吸入方向へ搬送されて認識部１４でその記載事項等が読取られる。
【００２６】
そして、認識部１４において取扱対象外媒体と認識された場合は、利用者にその取扱対象外媒体を返却するために、当該媒体は搬送ローラ１３を逆転させて排出方向に搬送され、その排出方向の先端が、下ガイド１７ａの搬送路１１側の端部に達すると、図８に示すように、縦スリット２２に隣接して形成されたサイドガイド２３の掬い面２４の搬送路１１側の端部に、取扱対象外媒体の先端の幅方向の端部の一方または両方が当接し、その端部が掬い面２４によって掬上げられ、Ｌ字状に折り曲げられながら上方に持上げられ、取扱対象外媒体の媒体端が掬い面２４から内側に外れて側面１９の内側に入り込み、その状態で曲折部の媒体端が縦スリット２２を通過して挿入口２０から排出される。
【００２７】
このとき、本実施例の縦スリット２２のスリット高さＨｓ１は、取扱対象外媒体の中で、最大の媒体幅を有する媒体Ｐの幅方向の一方の媒体端が、その側の側面１９に接している状態で、他方の曲折部の媒体端の曲折部高さＨｋより高くなるように設定、つまりＨｓ１＞Ｈｋとなるように設定されているので、取扱対象外媒体の媒体端を縦スリット２２の上端に接触させることなく挿入口２０から排出することができる。
【００２８】
このことは、取扱範囲内媒体に斜行等による搬送姿勢の異常が発生した場合にも同様に作用し、取扱範囲内媒体に搬送姿勢の異常が発生した場合であっても、ジャムを生じさせることなく利用者に返却することができる。
【００２９】
このように、本実施例の媒体処理部１０の挿入口２０には、その幅方向の両端に形成された縦スリット２２と、取扱対象外媒体の媒体端を掬上げる掬い面が形成されたサイドガイド２３とが設けてあるので、搬送姿勢に異常が発生した取扱範囲内媒体や取扱対象外媒体であってもジャムを生じさせることなく利用者に返却することができると共に、構成を簡素なものとして媒体処理部１０の製造コストを低減することができる。
【００３０】
また、挿入口２０の幅Ｗｉを通常の幅として、取扱対象外媒体の曲折部の媒体端を通過させる縦スリット２２を設けたので、挿入口２０の幅方向の長さを通常の幅とすることができ、媒体処理部１０の小型化を図ることができる。
【００３１】
以上説明したように、本実施例では、媒体処理部の挿入口の上面に、下面側に開放端を有し幅方向の両側の側面にそれぞれ接する縦スリットを設け、その縦スリットに隣接して排出方向へ搬送される取扱対象外媒体の先端の幅方向の端部を掬上げる掬い面を形成したサイドガイドを設けたことことによって、挿入口の幅方向の長さを通常のままにしたとしても、取扱対象外媒体の排出時におけるジャムを防止することができ、媒体処理部の小型化を図ることができると共にその製造コストを抑制することができる。
【実施例２】
【００３２】
以下に、図９ないし図１３を用いて本実施例の媒体処理部について説明する。
【００３３】
なお、上記実施例１と同様の部分は、同一の符号を付してその説明を省略する。
【００３４】
図９、図１０において、３１は縦スリットであり、挿入口２０の幅方向の両側の端部の上面１８を下面１７の鉛直方向に切欠いて形成された、下面１７側に開放端を有するスリットであって、挿入口２０の幅方向の両側の側面１９から所定の離間距離で離間した位置に形成されており、一方の側面１９側に形成された縦スリット３１の一方の側面１９側の面と他方の側面１９との距離Ｌｓは、取扱範囲内媒体の中で最小の媒体幅を有する媒体Ｐの媒体幅より短くなるように設定され、その下面１７からのスリット高さＨｓ２（下面１７と縦スリット３１の上端までの距離をいう。）は、取扱対象外媒体の中で最大の媒体幅を有する媒体Ｐの幅方向の一方の媒体端が、その側の側面１９に接している状態で、他方の端部が縦スリット３１内でＬ字状に曲折したときに、その曲折部の媒体端の下面１７からの高さである曲折部高さＨｋより高くなるように、つまり実施例１の縦スリット２２のスリット高さＨｓ１より高くなるように設定されている。
【００３５】
図１１、図１２において、３３はガイド部であり、実施例１と同様に掬い面２４が形成されたサイドガイド２３の側面１９から、縦スリット３１のその側面１９側の面までの間に形成された所定の離間距離（＝Ｗｉ−Ｌｓ）と同等の厚さを有する板状部材であって、その挿入口２０側は上面１８の斜面の一部を構成し、縦スリット３１側の面であるガイド面３４は縦スリット３１に接している（図１３参照、なお、図１３は縦スリット３１のスリット幅Ｗｓの中央における下面１７の鉛直方向の断面を図１２に示す矢印Ｃ方向から見たものである。）。
【００３６】
また、ガイド部３３には、下面１７からの高さが、サイドガイド２３の掬い面２４の頂部２４ａの高さより低い位置に段部３５が形成され、ガイド部３３の搬送路１１側には、掬い面２４によって掬上げられた排出方向へ搬送される取扱対象外媒体の先端の幅方向の端部を搬送力による押圧力により更に曲折させて縦スリット３１へ導く斜面からなる押圧面３６が形成され、段部３５上には先端が曲折した取扱対象外媒体の媒体端を縦スリット３１へ導くテーパ面３７が形成されている。
【００３７】
なお、反対側の縦スリット３１とサイドガイド２３との間に形成されたガイド部３３は、上記と勝手違いに形成されている。
【００３８】
また、本実施例の媒体挿入部１６の挿入口２０の幅Ｗｉ、および縦スリット３１のスリット幅Ｗｓは上記実施例１と同様に形成されている。
【００３９】
本実施例の挿入口２０から強制的に挿入された取扱対象外媒体を利用者に返却する場合は、搬送路１１の搬送ローラ１３により排出方向に搬送された取扱対象外媒体の先端が、下ガイド１７ａの搬送路１１側の端部に達すると、上記実施例１と同様に、サイドガイド２３の掬い面２４の搬送路１１側の端部に、取扱対象外媒体の先端の幅方向の端部の一方または両方が当接し、その端部が掬い面２４によって掬上げられ、Ｌ字状に折り曲げられながら上方に持上げられて搬送される。
【００４０】
そして、曲折した端部の内側がガイド部３３の押圧面３６に当接すると、その曲折部は更に幅方向の内側に押されて折り曲げられ、取扱対象外媒体の媒体端が掬い面２４から内側に外れるとその媒体端は、段部３５上に形成されたテーパ面３７によってガイド面３４の内側に入り込み、その状態で曲折部の媒体端が縦スリット３１を通過して挿入口２０から排出される。
【００４１】
このように、本実施例の媒体処理部１０の挿入口２０には、その幅方向の両側の側面から所定の離間距離で離間した位置に形成された縦スリット３１と、取扱対象外媒体の媒体端を掬上げる掬い面が形成されたサイドガイド２３と、サイドガイド２３の内側に取扱対象外媒体の先端の端部を縦スリット３１へ導く押圧面３６が設けてあるので、搬送姿勢に異常が発生した取扱範囲内媒体や取扱対象外媒体であってもジャムを生じさせることなく利用者に返却することができると共に、構成を簡素なものとして媒体処理部１０の製造コストを低減することができる。
【００４２】
また、挿入口２０の幅Ｗｉを通常の幅として、取扱対象外媒体の曲折部の媒体端を通過させる縦スリット２２を設けたので、挿入口２０の幅方向の長さを通常の幅とすることができ、媒体処理部１０の小型化を図ることができる。
【００４３】
更に、挿入口２０の一方の側面１９側に形成された縦スリット３１と他方の側面１９との距離Ｌｓを、取扱範囲内媒体の中で最小の媒体幅を有する媒体Ｐの媒体幅より短くなるように設定したので、媒体Ｐを一方の側面１９に沿わせて挿入した場合であっても、媒体Ｐの挿入時に、最小の媒体幅を有する媒体Ｐの媒体端が縦スリット３１に入り込むことはなく、媒体Ｐの斜行等の搬送姿勢の異常による文字認識エラー等を防止することができ、文字認識性能や印刷品位を向上させることができる。
【００４４】
以上説明したように、本実施例では、上記実施例１と同様の効果に加えて、挿入口の上面に、下面側に開放端を有し幅方向の両側の側面からそれぞれ離間した位置に縦スリットを設け、挿入口の一方の側面側に形成された縦スリットと他方の側面との間の距離Ｌｓを、取扱範囲内媒体の中で最小の媒体幅を有する媒体Ｐの媒体幅より短くなるように設定したことによって、媒体Ｐの挿入時に、最小の媒体幅を有する媒体Ｐの媒体端が縦スリットに入り込むことを防止することができ、文字認識性能や印刷品位を向上させることができる。
【実施例３】
【００４５】
以下に、図１４ないし図１８を用いて本実施例の媒体処理部について説明する。
【００４６】
なお、上記実施例１および実施例２と同様の部分は、同一の符号を付してその説明を省略する。
【００４７】
本実施例の縦スリット３１には、図１４、図１５に示すように、その開放端の反対側の端部に、幅方向に伸張する横スリット４１が形成されている。
【００４８】
本実施例の横スリット４１は、スリット幅Ｗｓで、挿入口２０の側面１９へ向かう方向に伸張し、その側の側面１９に達するように形成され（図１５参照）、縦スリット３１の上端およびその上端に接続する横スリット４１の上端には、図１６、図１７に示すように、排出方向の先端が曲折した取扱対象外媒体の媒体端を横スリット４１へ導くテーパ面４３が形成されている。
【００４９】
また、縦スリット３１の側面１９側の面は、ガイド部３３のガイド面３４に接し、横スリット４１の側面１９側の面は、側面１９に接している（図１８参照、なお、図１８は縦スリット３１のスリット幅Ｗｓの中央における下面１７の鉛直方向の断面を図１７に示す矢印Ｅ方向から見たものである。）。
【００５０】
なお、本実施例のガイド部３３は、段部３５上に形成されたテーパ面３７が省略されている。
【００５１】
また、反対側の縦スリット３１とサイドガイド２３との間に形成された本実施例のガイド部３３は、上記と勝手違いに形成されている。
【００５２】
更に、本実施例の媒体挿入部１６の挿入口２０の幅Ｗｉ、および縦スリット３１のスリット幅Ｗｓおよびスリット高さＨｓ２、一方の側面１９側に形成された縦スリット３１の一方の側面１９側の面と他方の側面１９との距離Ｌｓは、上記実施例２と同様に形成されている。
【００５３】
本実施例の挿入口２０から強制的に挿入された取扱対象外媒体を利用者に返却する場合は、上記実施例２と同様にして、取扱対象外媒体の排出方向の先端が、下ガイド１７ａの搬送路１１側の端部に達すると、その先端の幅方向の端部の一方または両方の媒体端が掬い面２４によって掬上げられ、Ｌ字状に折り曲げられながら上方に持上げられて搬送される。
【００５４】
そして、曲折した端部の内側がガイド部３３の押圧面３６に当接すると、その曲折部は更に幅方向の内側に押されて折り曲げられ、取扱対象外媒体の媒体端が掬い面２４から内側に外れるとその曲折部は、段部３５とガイド面３４との角部によって曲げられた状態で搬送され、曲折部の媒体端が縦スリット３１を通過して挿入口２０から排出される。
【００５５】
このとき、返却される取扱対象外媒体が斜行等の搬送姿勢の異常によって、一方の側面１９から離間した状態で排出方向に搬送された場合は、図１５に示すように、曲折部の端部が、横スリット４１へ媒体端を導くテーパ面４３によって幅方向に折り曲げられ、その端部が横スリット４１を通過して挿入口２０から排出される。
【００５６】
このように、本実施例の媒体処理部１０の挿入口２０には、その幅方向の両側の側面から所定の離間距離で離間した位置に形成された縦スリット３１の上端部に側面１９の方向に伸張する横スリット４１が形成されているので、上記実施例２の作用に加えて、斜行等によって搬送姿勢が異常になり、一方の側面１９から離間した状態で排出方向に搬送された取扱対象外媒体であっても、横スリット４１でその媒体端を通過させることができ、取扱対象外媒体をジャムを生じさせることなく利用者に返却することができる。
【００５７】
このことは、想定されていた取扱対象外媒体の最大媒体幅を超える媒体幅を有する想定外の取扱対象外媒体が、挿入口２０から強制的に挿入された場合にも同様に作用し、想定外の取扱対象外媒体が挿入された場合であっても、ジャムを生じさせることなく利用者に返却することができる。
【００５８】
また、縦スリット３１のスリット高さＨｓ２を低くして、横スリット４１を設けるようにすれば、挿入口２０の高さを通常の高さとしたままで挿入口２０の幅方向の長さを短くすることができ、取扱対象外媒体を取扱う場合における媒体処理部１０の更なる小型化を図ることができる。
【００５９】
なお、本実施例では、横スリット４１は、側面１９の方向に伸張して側面１９に達するスリットであるとして説明したが、側面１９までの間に端面を形成するようにしてもよく、側面１９とは反対方向に伸張させるようにしてもよい。
【００６０】
以上説明したように、本実施例では、上記実施例２と同様の効果に加えて、挿入口の上面に、下面側に開放端を有し幅方向の両側の側面からそれぞれ離間した位置に設けた縦スリットの上端部に幅方向に伸張する横スリットを形成したことによって、斜行等により搬送姿勢が異常になった取扱対象外媒体や想定外の取扱対象外媒体であってもジャムを生じさせることなく利用者に返却することができると共に、取扱対象外媒体を取扱う場合における設計の自由度を増加させて、媒体処理部の更なる小型化を図ることができる。
【００６１】
なお、上記各実施例においては、縦スリットは下面の鉛直方向に形成するとして説明したが、上面内で幅方向の斜め上方に向けて形成するようにしてもよい。
【符号の説明】
【００６２】
１    現金自動預払機
２    操作表示部
３    カード処理部
４    通帳処理部
５    紙幣処理部
６    硬貨処理部
１０  媒体処理部
１１  搬送路
１２  サイドフレーム
１３  搬送ローラ
１４  認識部
１６  媒体挿入部
１７  下面
１７ａ  下ガイド
１８  上面
１８ａ  上ガイド
１９  側面
２０  挿入口
２２、３１  縦スリット
２３  サイドガイド
２４  掬い面
２４ａ  頂部
３３  ガイド部
３４  ガイド面
３５  段部
３６  押圧面
３７、４３  テーパ面
４１  横スリット
【図１】
0005418169.tif 000002
【図２】
0005418169.tif 000003
【図３】
0005418169.tif 000004
【図４】
0005418169.tif 000005
【図５】
0005418169.tif 000006
【図６】
0005418169.tif 000007
【図７】
0005418169.tif 000008
【図８】
0005418169.tif 000009
【図９】
0005418169.tif 000010
【図１０】
0005418169.tif 000011
【図１１】
0005418169.tif 000012
【図１２】
0005418169.tif 000013
【図１３】
0005418169.tif 000014
【図１４】
0005418169.tif 000015
【図１５】
0005418169.tif 000016
【図１６】
0005418169.tif 000017
【図１７】
0005418169.tif 000018
【図１８】
0005418169.tif 000019